(57)【要約】【課題】トイレに取り付けられる日めくりカレンダーにおいて、切り取ったカレンダー用紙をトイレ内で簡単に処分することができる日めくりカレンダーを提供する。【解決手段】水洗便器を備えたトイレ内に取り付けられる日めくりカレンダーであって、一日ごとの日にちが表示されたカレンダー用紙２が重ねられ、重ねられたカレンダー用紙２の一端が綴じ具３で綴じられ、カレンダー用紙２が水洗便器に流すことができる水溶性物質からなる。綴じ具３には吊り下げ具４が設けられている。【選択図】図１
0003198526.tif 000002
【実用新案登録請求の範囲】
【請求項１】
水洗便器を備えたトイレ内に取り付けられる日めくりカレンダーであって、一日ごとの日にちが表示されたカレンダー用紙が重ねられ、重ねられたカレンダー用紙の一端が綴じ具で綴じられ、前記カレンダー用紙が水洗便器に流すことができる水溶性物質からなることを特徴とする日めくりカレンダー。
【請求項２】
前記綴じ具に吊り下げ具が設けられていることを特徴とする日めくりカレンダー。
【考案の詳細な説明】
【技術分野】
【０００１】
本考案は、トイレ内に取り付ける日めくりカレンダーに関し、特に、めくって切り取ったカレンダー用紙をトイレ内で処分するため、カレンダー用紙が水洗便器で流すことのできる日めくりカレンダーに関する。
【背景技術】
【０００２】
カレンダーは日にち、曜日あるいは祝祭日等を確認するために、日常生活には欠かせないものであり、日めくりあるいは月めくりのめくり取りカレンダー、あるいは卓上において用いる卓上カレンダー、壁に吊り下げる吊り下げカレンダーなど各種のカレンダーが用いられている。
【０００３】
これらのカレンダーは、めくり取りカレンダーの場合には部屋などいろいろな場所に目につきやすいところに掛けられたり、卓上カレンダーの場合にはテーブルやカウンターなどの上に置かれたりされている。
【０００４】
日めくりカレンダーを取り付ける場所としては居間や台所などが挙げられるが、トイレも例外ではなく、特許文献１には、日めくりカレンダーをトイレに取り付けことが記載されている。
【０００５】
特許文献１に記載されているカレンダーは、着脱自在素材を日々めくると、本体表面に漢字、英単語、写真等の各種知識、情報、画像、形状等が現れてくるカレンダーとして、 漢字、英単語、写真等の各種知識、情報、画像、形状等を表示したカレンダー本体と、このカレンダー本体の前記各種知識、情報、画像、形状等の表示面に日単位で作成し表面に暦の日を表示のうえ暦の日順に貼付して前記各種知識・情報、画像、形状等を覆い隠す着脱自在素材とからカレンダーが記載されている。
【０００６】
特許文献１のカレンダーは、カレンダーをめくり、その都度月日、曜日を確認するため、毎日を新たな気持ちで迎えることになり、クイズ回答、漢字学習等を通して家族の話し合い・家庭団欒の場がもたれ、勉強部屋、居間等の他にトイレ、台所等人が長居するところに掛けてあると勉強になり退屈しない、というものである。
【０００７】
また、特許文献２には、抜止ピンが露出することなく、かつ可燃物質よりなる紐と益体との組合せの綴じ具による日捲りカレンダーが記載され、この日捲りカレンダーは、枠体の外表面に係止ピンが露出しないために物などに当接することにより抜け落ちたりすることがなく、かつ外観を損ねることがない、というものである。
【先行技術文献】
【特許文献】
【０００８】
【特許文献１】特開平８−１２７１９０号公報
【特許文献２】特開２００８−１０５１８３号公報
【考案の概要】
【考案が解決しようとする課題】
【０００９】
トイレに日めくりカレンダーを取り付けて利用する場合、めくって切り取ったカレンダー用紙は、用を済ますまで棚などの適当なところに置いておき、用を済ませてトイレから出る際に持って出て、ゴミかごなどに捨てている。
【００１０】
したがって、トイレに日めくりカレンダーを取り付けた場合、切り取ったカレンダー用紙をトイレ内で簡単に処分できず、煩わしいという欠点がある。
【００１１】
また、切り取ったカレンダー用紙をトイレから持ち出すため、ゴミが増えるという欠点がある。
【００１２】
そこで、本考案は、トイレに取り付けられる日めくりカレンダーにおいて、切り取ったカレンダー用紙をトイレ内で簡単に処分することができる日めくりカレンダーを提供するものである。
【課題を解決するための手段】
【００１３】
本願請求項１の考案は、水洗便器を備えたトイレ内に取り付けられ日めくりカレンダーであって、一日ごとの日にちが表示されたカレンダー用紙が重ねられ、重ねられたカレンダー用紙の一端が綴じ具で綴じられ、前記カレンダー用紙が水洗便器に流すことができる水溶性物質からなることを特徴とする日めくりカレンダーである。
【００１４】
本願請求項２の考案は、前記綴じ具に吊り下げ具が設けられていることを特徴とする日めくりカレンダーである。
【考案の効果】
【００１５】
本考案の日めくりカレンダーは、カレンダー用紙が水に溶ける水溶性材質からなるので、切り取ったカレンダー用紙を水洗便器で流して処分することができるので、用を済ませた後にトイレの外に持ち出す煩わしさがなくなる。
【００１６】
また、本考案の日めくりカレンダーは、カレンダー用紙を水洗便器で流すことにより、トイレの外に持ち出す必要がないので、ごみの発生量を少なくすることができる。
【図面の簡単な説明】
【００１７】
【図１】本考案の日めくりカレンダーの一例を示す斜視図である。
【考案を実施するための形態】
【００１８】
図１に示す斜視図において、本考案の日めくりカレンダー１は、トイレ内に設置するもので、日にちや曜日などが印刷されたカレンダー用紙２を１日ごとに１枚めくり、切り取って日にちを表に表示するものである。カレンダー用紙２には、日にちの他に、過去のその日に起こった出来事や話題、トイレ内で座ってできるストレッチ、フェイスマッサージなどの図入り説明、楽しいイラスト入りの雑学などを印刷することにより、カレンダー以外の機能を付加してもよい。
【００１９】
日にちが表示された一年分のカレンダー用紙２の一辺が重ねられ、重ねたカレンダー用紙の端部が綴じ具３により綴じられている。
【００２０】
綴り具３には、日めくりカレンダーをトイレ内の壁に吊り下げるため、壁に固定したピンなどを通す、孔が形成されたプレート、環状に形成された紐などの吊り下げ具４が設けられている。
【００２１】
カレンダー用紙２には、通常、日にちの文字が大きく印刷され、そのほかに、曜日や祝日、あるいは干支、格言などが適宜表示される。
【００２２】
本考案の日めくりカレンダー１では、めくって切り取ったカレンダー用紙２を水洗便器で流すことができるように、従来から使用されているトイレットペーパやトイレットパッドなどに使用されている水溶性物質からなる紙で作成される。
【００２３】
従来から使用されている水溶性物質からなる紙は、従来のトイレットペーパ等と同様に印刷が可能であるので、日にち、曜日等を印刷してカレンダー用紙２として使用することが可能となる。また、アロマの香りによるリラグゼーション効果を得るため、あるいは快適な雰囲気にするため、アロマ液を含浸させたアロマスティックを日めくりカレンダーの綴り具などに取り付けられるようにしてもよい。
【００２４】
以上説明した構成からなる本考案の日めくりカレンダーは、トイレ内の壁に取り付けられると、めくって切り取ったカレンダー用紙は、水洗便器で流して処分することができるので、用を済ませた後にトイレの外に持ち出す煩わしさがなくなり、また、カレンダー用紙を水洗便器で流すことにより、トイレの外に持ち出す必要がないので、ごみの発生量を少なくすることができる。
【符号の説明】
【００２５】
１：日めくりカレンダー
２：カレンダー用紙
３：綴り具
４：吊り下げ具
【図１】
0003198526.tif 000003
【手続補正書】
【提出日】平成27年4月30日(2015.4.30)
【手続補正１】
【補正対象書類名】実用新案登録請求の範囲
【補正対象項目名】全文
【補正方法】変更
【補正の内容】
【実用新案登録請求の範囲】
【請求項１】
水洗便器を備えたトイレ内に取り付けられる日めくりカレンダーであって、一日ごとの日にちが表示されたカレンダー用紙が重ねられ、重ねられたカレンダー用紙の一端が綴じ具で綴じられ、前記カレンダー用紙が水洗便器に流すことができる水溶性物質からなることを特徴とする日めくりカレンダー。
【請求項２】
前記綴じ具に吊り下げ具が設けられていることを特徴とする請求項１に記載の日めくりカレンダー。
【手続補正２】
【補正対象書類名】明細書
【補正対象項目名】００１４
【補正方法】変更
【補正の内容】
【００１４】
本願請求項２の考案は、前記綴じ具に吊り下げ具が設けられていることを特徴とする請求項１に記載の日めくりカレンダーである。